(57)【要約】      （修正有）【課題】設備が占有するスペースを減らして作業スペースを確保することができ、しかも、設置や移設が容易な使い勝手の良いペット用の乾燥台兼用浴槽を提供する。【解決手段】ペットを洗う浴槽の内部に昇降板６を設け、この昇降板６を少なくとも浴槽１の縁部１ａ付近まで上昇可能な昇降手段７によって支持させて、この昇降手段７を動かすための可動手段（モータＭ）を浴槽１に形成した中空部Ｓに配設する。【選択図】図３
2007014240.tif 000002
【特許請求の範囲】
【請求項１】
ペットを洗う浴槽の内部に昇降板が設けられ、この昇降板は少なくとも前記浴槽の縁部付近まで上昇可能な昇降手段によって支持されており、この昇降手段を動かすための可動手段が、前記浴槽に形成された中空部に設けられていることを特徴とするペット用の乾燥台兼用浴槽。
【請求項２】
前記中空部が、前記浴槽の側壁を二重構造にすることによって形成されることを特徴とする請求項１記載のペット用の乾燥台兼用浴槽。
【請求項３】
前記昇降手段は、二本のリンク棒をＸ形状に交差させた一対のＸ型リンクを備え、片方の前記リンク棒の下端部はそれぞれ、別々のレール部材の一端部に軸支されており、他方の前記リンク棒の下端部はそれぞれ、前記各レール部材に沿って移動可能になっており、この他方の前記リンク棒の下端部間には、送りねじが取り付けられているスライド部材が回転可能に配設され、前記送りねじのねじ軸を、前記可動手段で回転させることにより前記スライド部材を移動して、前記一対のＸ型リンクを伸縮させることによって前記昇降板を上下動させることを特徴とする請求項２記載のペット用の乾燥台兼用浴槽。
【請求項４】
前記スライド部材に、位置検出用のロッドが、その長さ方向と前記スライド部材の移動方向とを一致させるようにして固定され、前記ロッドの一端部は、前記浴槽に形成した中空部内に臨ませた状態になっており、この中空部内に、前記ロッドの前記一端部の位置を検出して前記可動手段を停止させるリミットスイッチが配設されていることを特徴とする請求項３記載のペット用の乾燥台兼用浴槽。
【請求項５】
前記昇降板に、排水を流下させるための孔が設けられていることを特徴とする請求項１〜４記載のいずれかに記載のペット用の乾燥台兼用浴槽。
【発明の詳細な説明】
【技術分野】
【０００１】
本発明は、犬や猫等のペットを洗うための浴槽に関し、詳しくは、洗ったあとのペットの濡れた毛を、ドライヤー等を当て乾かす際に用いる乾燥台としての機能も備えたペット用の乾燥台兼用浴槽に関する。
【背景技術】
【０００２】
従来、ペットショップやペット専用美容院または動物病院などで、ペットをシャンプーするサービスを提供しているところがある。このようなところには、ペットを洗うための設備と、洗った後の濡れた毛を乾燥させる設備とが設けられており、一般的には、ペットを入れて洗うための浴槽と、洗い終わった後にペットを載せドライヤーを当てて濡れた毛を乾かすための乾燥台とが設置されている。
【０００３】
浴槽は上面を開口した箱型形状のものが多く、一側面に片開きの扉を設けてペットの出入りをし易くしている。また、浴槽の位置が低いと、トリマーが腰を深くかがめた姿勢で作業することになり腰などに負担がかかるため、この負担を軽減するものとして、脚を設けて浴槽の位置を高くしたものが市販されており、また、浴槽の下に昇降装置を設けて高さ調節を可能にしたものなどが提案されている（例えば、特許文献１参照）。
【０００４】
一方、乾燥台は、ペットを載せる天板の四隅に、脚をそれぞれ配設したテーブル状のものがよく使用されている。
【特許文献１】特開２００２−１２５５０２号公報（第１〜３頁および第１〜３図）
【発明の開示】
【発明が解決しようとする課題】
【０００５】
しかしながら、トリミングを行なう作業場は浴槽や乾燥台の他にも、スタンドタイプの大型ドライヤーや飛散した抜け毛を回収するための大型掃除機、また、ペットを入れるためのゲージやブラシ等の小物を入れているラックなども置いてあるため雑然となりがちで、特に、小さな店舗では作業場が手狭なことが多く、これらの機器や道具類が邪魔になって作業がしづらい場合がある。
【０００６】
このような問題点を解決するために本発明は、設備が占有するスペースを減らして作業スペースを確保することができ、しかも、設置や移設が容易な使い勝手の良いペット用の乾燥台兼用浴槽の提供を目的としている。
【課題を解決するための手段】
【０００７】
本発明にかかる請求項１記載のペット用の乾燥台兼用浴槽は、ペットを洗う浴槽の内部に昇降板を設け、この昇降板を少なくとも前記浴槽の縁部付近まで上昇可能な昇降手段によって支持させて、この昇降手段を動かすための可動手段を、前記浴槽に形成した中空部に設けることを特徴としている。
【０００８】
このペット用の乾燥台兼用浴槽によれば、洗い終わったペットを載せた前記昇降板を、ドライヤーを当てる際に前記浴槽が邪魔にならない位置、つまり、前記浴槽の縁部付近まで上昇させることができるため、濡れた毛を乾かす乾燥台としても適した構造になっている。
【０００９】
したがって、乾燥台を別途設ける必要もなくなるし、ペットを乾燥台に移動させ、乗り降りさせる手間も省ける。
【００１０】
また、前記昇降手段を動かすための可動手段を、前記浴槽に形成された前記中空部に設けて一体型にすることで、設置や移設が簡単に行えるようになる。なお、前記可動手段は手動式、電動式、油圧式、エア式などを用いることができる。
【００１１】
請求項２記載のペット用の乾燥台兼用浴槽は、中空部を、浴槽の側壁を二重構造にして形成することを特徴としている。
【００１２】
請求項２記載のペット用の乾燥台兼用浴槽によると、前記可動手段を、前記浴槽の側壁内に配置することができるため、前記浴槽の底部に配置する場合に比べ、メンテナンスや修理がやり易くなり、且つ、前記浴槽の排水用の配管も行い易くなる。
【００１３】
請求項３記載のペット用の乾燥台兼用浴槽は、前記昇降手段に、二本のリンク棒をＸ形状に交差させた一対のＸ型リンクを具備させ、片方の前記リンク棒の下端部をそれぞれ、別々のレール部材の一端部に軸支し、他方の前記リンク棒の下端部をそれぞれ、前記各レール部材に沿って移動可能にし、この他方の前記リンク棒の下端部間に、送りねじが取り付けられているスライド部材を回転可能に配設し、前記送りねじのねじ軸を、前記可動手段で回転させることにより前記スライド部材を移動させて、前記一対のＸ型リンクを伸縮させることによって前記昇降板を上下動することを特徴としている。
【００１４】
請求項３記載のペット用の乾燥台兼用浴槽によれば、前記昇降手段の構造がシンプルになるため、水洗いなどによる清掃が簡単にでき、メンテナンスや修理等も容易に行えるようになる。
【００１５】
請求項４記載のペット用の乾燥台兼用浴槽は、スライド部材に、位置検出用のロッドをその長さ方向と前記スライド部材の移動方向とを一致させるようにして固定し、このロッドの一端部を、前記浴槽に形成された中空部内に臨ませた状態にして、この中空部内に、前記ロッドの前記一端部の位置を検出し前記可動手段を停止させるリミットスイッチを配設することを特徴としている。
【００１６】
請求項４記載のペット用の乾燥台兼用浴槽によれば、前記リミットスイッチを設けて前記可動手段を停止させることで、前記昇降板を上限や下限で自動的に止めることができるため、誤操作による事故を防ぐことができる。しかも、前記リミットスイッチを前記中空部内に配設することによって水を避けることができるため、前記リミットスイッチに特別な防水処置を施す手間が省け、前記浴槽内もすっきりさせることができる。なお、前記リミットスイッチを配設している前記中空部と、前記可動手段が設けられている前記中空部とは同一とすることもできる。
【００１７】
請求項５のペット用の乾燥台付き浴槽は、昇降板に排水を流下させるための孔を設けることを特徴としている。このように、排水を流下させるための前記孔を前記昇降板に設けると、ペットの体を流した後の排水を前記昇降板の下にスムーズに落下させることができるため、前記昇降板上で水が飛散するのを抑えることができて作業し易くなる。
【発明の効果】
【００１８】
本発明のペット用の乾燥台兼用浴槽は、乾燥台の設置スペースを省略することができるため、作業場のスペースを活用することが可能になる。また、洗い終わったあとのペットを乾燥台まで移動させたり、乗り降りさせる手間も省けるため、ペットの洗いから乾燥までを楽に手早く行えるようになる。
【００１９】
さらに、昇降板に排水を流下させるための孔を設けると、ペットを洗った後の排水を昇降板上から速やかに除去することができため、ペットを洗っている最中の水の飛散が少なく作業し易い。
【００２０】
それから、昇降手段を動かす可動手段を、側壁の中空部内に配置して一体型にすると、運搬もし易く、設置や移設も短時間で済ませることができる。
【００２１】
そして、昇降手段をリンク構造にしてシンプルにすれば故障しにくくなり、浴槽内の清掃、昇降手段のメンテナンス、修理などの手間も減らすことができる。
【発明を実施するための最良の形態】
【００２２】
以下に、本発明にかかるペット用の乾燥兼用浴槽について図１〜４を参照しつつ説明する。
【００２３】
以下、単に浴槽１ともいうペット用の乾燥台兼用浴槽１は、ＦＲＰ（繊維強化プラスチック）を使って、上面が開口した横長の箱型形状に一体成形したもので、開口端は外側に反り返るようにして曲げられ縁部１ａが形成されている。
【００２４】
周囲四面の側壁のうち、正面の側壁１ｂとこの正面の側壁１ｂに隣接する側壁のうちの一方（側壁１ｃ）は、形成された縁部１ａの先端部が、浴槽底面１ｅ付近まで延長されて二重構造になっている。
【００２５】
正面の側壁１ｂは、両端部を除き他の側壁よりも高さが低く形成されており、ペットを洗うトリマーの体が、側壁１ｂの縁部１ａに支えないようにしている。また、正面の側壁１ｂの中央部には、片開きのドア１ｄが配設されており、このドア１ｄからペットを浴槽内に出し入れできるようになっている。そして、二重構造になっている側壁１ｃとは反対側に位置する浴槽底面１ｅの一角には、排水口１ｆが設けられおり、この排水口１ｆには排水トラップ２が取り付けられている。側壁１ｃには、逆Ｌ字型の首輪用フック１２が、下端部を縁部１ａを上方から貫通させた状態で、内側の面に螺子止めによって固定されている。
【００２６】
また、浴槽１は載置台３を具備しており、その略矩形の天板上に固定されている。載置台３は、天板の四隅に脚３ａを配置した構造になっており、各脚３ａは据わりを調節できるように螺子棒により伸縮可能になっている。そして、載置台３に固定されて床Ｆとの間に距離が設けられた浴槽１の排水トラップ２は、略Ｎ字型の排水管４によって床Ｆの排水口５と接続されている。
【００２７】
一方、浴槽１の内側底部には、水抜き用の細長い孔を設けた昇降板６が配設されている。この昇降板６は、短尺の細長い平板６ａを所定の間隔で複数枚配置し、これらの平板６ａ上に、長尺の細長い平板６ｂを、短尺の平板６ａと直行する方向に隙間を設けて並べ、各平板６ｂを平板６ａに固定することによって形成されている。この昇降板６は、浴槽１の長手方向に二分割できるようになっており、浴槽底面１ｅとの間に設けられた昇降手段７によって支持されて、上下に昇降可能になっている。
【００２８】
この昇降手段７は、アングル部材と角パイプとで長方形状に組み立てたレール枠８と、このレール枠８上で上下方向に伸縮するリンク機構９とで構成されている。
【００２９】
レール枠８は、長辺側にアングル部材８ａを用い各内側の面が相対するように配置し、短辺側に角パイプ８ｂを用いて組み立てられており、その長手方向を浴槽１の長手方向と一致させた状態で、角パイプ８ｂを浴槽底面１ｅに螺子止めすることで固定されている。
【００３０】
レール枠８上に配置されているリンク機構９は、レール枠８の各アングル部材８ａ上に各々配置される一対のＸ型リンク９ａを備え、各Ｘ型リンク９ａは二本のリンク棒（第一リンク棒９ｂ、第二リンク棒９ｃ）を中間部で交差させてなり、その交差部を枢軸９ｄの両端部に別々に、且つ、回転可能に取り付けている。
【００３１】
各Ｘ型リンク９ａの第一リンク棒９ｂは、下端部がアングル部材８ａの排水口１ｆ側に位置する端部に軸支されて旋回可能になっており、第二リンク棒９ｃは下端部にガイドローラ９ｎが設けられ、このガイドローラ９ｎを、アングル部材８ａ上を転がすようにして回転運動する。そして、第二リンク棒９ｃの下端部どうしを、横長のスライド部材９ｅで繋いで同期させれるようにしており、このスライド部材９ｅに対して各第二リンク棒９ｃの下端部が、回転可能に取り付けられている。
【００３２】
スライド部材９ｅは送りねじが設けられており、スライド部材９ｅの中間部に固定された雌ねじ９ｆにねじ軸９ｇが挿通された状態になっている。
【００３３】
ねじ軸９ｇは、一端部がレール枠８のアングル部材８ａ間に掛け渡した支持部材９ｈの中間部に、空回りするように支持され、他端部はレール枠８の角パイプ８ｂのうち、排水口１ｆと反対に位置する方に固定した軸受け部８ｃによって支持されている。また、スライド部材９ｅと支持部材９ｈ間には、ねじ軸９ｇの挿通孔を有するガイド部材９ｊが、レール枠８のアングル部材８ａ間に掛け渡すようにして固定されている。
【００３４】
ねじ軸９ｇの末端は、側壁１ｃの内側の壁を貫通し、側壁１ｃ内に形成された中空部Ｓに配置され、載置台３の側方に張り出すようにして設けたベース部３ｂ上に固定したモータＭ（可動手段）の出力軸と、図示しないカップリングで連結されている。
【００３５】
これにより、モータＭを回転させるとねじ軸９ｇが回転し、それに伴って雌ねじ９ｆが取り付けられているスライド部材９ｅが移動する。すると、第二リンク棒９ｃはガイドローラ９ｎをアングル部材８ａ上に転がしながら回転運動し、第一リンク棒９ｂが下端部を中心に旋回することによって、Ｘ型リンク９ａが上下方向に伸縮するのである。
【００３６】
モータＭは、フットペダル１０で駆動できるようになっており、フットペダル１０に設けられている上昇用の踏板と下降用の踏板とを踏みかえることで、正逆転させることができる。このように、昇降板６の上下動をフットペダル１０で行えるようにすると、トリマーは常に両手が使えるため、トリミング中の昇降板６の高さ調整がやり易い。
【００３７】
また、昇降手段７の誤操作による事故を防止するために、スライド部材９ｅに位置検出用のロッド９ｉを、長さ方向とスライド部材９ｅの移動方向とを一致させ、且つ、一端部を中空部Ｓ内に臨ませた状態で固定している。ロッド９ｉは、軸受け部８ｃのある角パイプ８ｂに固定した支持部８ｄと、ガイド部材９ｊの貫通孔に挿通され支持されている。
【００３８】
中空部Ｓ内には、一対のリミットスイッチ１１が、スライド部材９ｅの移動に伴って進退するロッド９ｉを間に挟むようにして、相対した状態で配置されている。このようにして配置されているリミットスイッチ１１が、所定の間隔をあけて二組設けられている。
【００３９】
このうち、ロッド９ｉの末端側に位置するリミットスイッチ１１で、昇降板６の下限を検出してモータＭを停止させ、他方のリミットスイッチ１１で、昇降板６の上限を検出してモータＭを停止させるようになっている。
【００４０】
一方、各Ｘ型リンク９ａの上部には昇降板６を載せるフレーム９ｍが配置されている。フレーム９ｍは、角パイプを長方形状に組んで形成されており、長辺側の角パイプにはそれぞれ、内側の面に断面逆Ｌ型の取付部材９ｐが外側側面で固定されている。
【００４１】
この取付部材９ｐの一端部の内側側面に、第二リンク棒９ｃの上端部が軸支され、第一リンク棒９ｂが、上端部に設けたガイドローラ９ｑを、取付部材９ｐの内側上面を転がしながら運動するようになっている。この台枠９ｍの上に前述の昇降板６が、取り外し可能に配置されている。
【００４２】
次に、この浴槽１を用いてペットを洗う方法について説明する。
【００４３】
あらかじめ、浴槽１内の昇降板６を最低位置まで下げおき、ドア１ｄを開けてペットを中に入れる。そして、ドア１ｄを閉めたあと、フットペダル１０で昇降板６の高さを調節し、トリマーが楽な姿勢で洗えるようにする。この際、ペットが逃げ出さないように首輪用フック１２に引き綱を留めておくこともできる。
【００４４】
昇降板６の高さを調節したら犬を洗い始めるが、浴槽１の正面に位置する側壁１ｂの高さが低くいため、浴槽１の縁部１ａに体が支えたりせず作業がし易い。
【００４５】
また、ペットの体を流したあとの排水は、昇降板６の孔から流れ落ちて昇降板６上に溜まらないため、シャワーなどによる水の飛散も少なく洗い易くなっている。昇降板６から流下した排水は、浴槽１の排水口１ｆから排水管４へ流される。この際、排水口１ｆには、排水と一緒に抜け毛が流れ込むため、図１（ｂ）に示すように、排水トラップ２に抜け毛を捕集するためのカゴ２ａを設けておくことで、排水管４の詰り等を防止することができる。なお、このカゴ２ａを、排水トラップ２の側面に窓を設けて、その窓から引き出せるようにすれば、昇降板６をフレーム９ｍに載せたままでもカゴ２ａの掃除ができるようになり便利である。
【００４６】
犬を洗い終わったらフットペダル１０を操作し、ペットを乗せた昇降板６を、浴槽１の縁部１ａ付近まで上昇させる。こうすると、浴槽１は濡れたペットの毛を乾かすための乾燥台として利用できるようになる。
【００４７】
このように、昇降板６を浴槽１の縁部１ａ付近まで上昇させたことで、浴槽１の側壁が邪魔をしてドライヤーを当てにくいという問題もなく、洗い終わったあとのペットを移動させずそのまま乾燥作業に移ることができる。
【００４８】
そして、濡れた毛を乾かし終えたら昇降板６を再び最低位置まで下げ、ドア１ｄを開けてペットを浴槽１の外に出して作業が完了する。
【００４９】
作業が完了したあと、浴槽１内を水洗いして清掃するが、その際、昇降手段７がシンプルな構造であるため、作業中に抜けたペットの抜け毛などを、簡単に洗い流すことができる。
【００５０】
また、浴槽１はペットの毛をカットする際にも利用することができる。その場合、そのペットを載せた昇降板６を、浴槽１の縁部１ａ付近まで上昇させてペットの毛をカットするが、カットして落ちた毛は、昇降板６の孔から浴槽１内に落下させて周囲へ飛散するのを防ぐことができるし、カット終了後に昇降板６を下降させて水洗いすれば、浴槽１内に落ちた抜け毛とともに排水口１ｆへ流すことができる。こうして、ペットを一匹洗うたびに、昇降板６の清掃を手軽に行えるので、浴槽１を清潔に保つことができる。
【００５１】
このように、ペットの洗いと乾燥、さらには、カットまでをこの浴槽１でこなすことができるため、別途、乾燥台やカット台を設ける必要がなくなるため、設備が占有するスペースを減らし作業場のスペースを活用できるようになる。しかも、モータＭは側壁１ｃの中空部Ｓ内に配置し、昇降手段７にリンク構造９を用いてシンプルにしているので、故障もしにくく、メンテナンスや修理も行い易い。
【００５２】
本実施形態では、昇降板６をリンク機構９によって支持しているが、これに限ることなく、例えば、側壁の内側の壁に縦方向に延びる開口部を形成し、この開口部を貫通させるようにして、先端に受部を有する支持部材を配置し、この支持部材を開口部に沿って上下動可能にし、その受部に昇降板を支持させることもできる。こうすると、浴槽内がよりシンプルになり、清掃がもっと簡単になる。
【図面の簡単な説明】
【００５３】
【図１】（ａ）は本発明にかかるペット用の乾燥台兼用浴槽の正面図であり、（ｂ）は排水トラップの別の実施形態を示す縦断面図である。
【図２】本発明にかかるペット用の乾燥台兼用浴槽の平面図であり、昇降板を外した状態を示している。
【図３】図２におけるＡ―Ａ矢視断面図である。
【図４】本発明にかかるペット用の乾燥台兼用浴槽の昇降手段の斜視図である。
【符号の説明】
【００５４】
１    ペット用の乾燥兼用浴槽（浴槽）
１ａ  縁部
１ｅ  浴槽底面
６    昇降板
７    昇降手段
８    レール枠
９    リンク機構
９ａ  Ｘ型リンク
９ｆ  雌ねじ
９ｇ  ねじ軸
Ｍ    モータ                                                                                
【図１】
2007014240.tif 000003
【図２】
2007014240.tif 000004
【図３】
2007014240.tif 000005
【図４】
2007014240.tif 000006